(57)【要約】【課題】脚片の開閉操作が楽なステッキを提供するとともに、脚片が閉じた状態で、見映えを良くする。【解決手段】ステッキ１は、支持棒２と、操作釦７を出没可能且つスライド可能に具えた把持部３を設けている。支持棒２内には、脚片５に連繋した支持部材４が昇降可能に嵌められた第１昇降軸８と、該第１昇降軸８に係合して第１昇降軸８の下降を防止し操作釦７の押圧操作によって係合解除されるロック機構６とが設けられている。操作釦７は支持部材４に繋がって、支持部材４は操作釦７のスライド操作によって第１昇降軸８に沿って昇降する。支持部材４は、ロック機構６が第１昇降軸８に係合して脚片５が支持棒２内に収納された第１の位置と、操作釦７の押圧操作によってロック機構６との係合が解除された第１昇降軸８とともに下降し脚片５が支持棒２から突出した第２の位置と、第２の位置から操作釦７のスライド操作によって上昇し、脚片５を開いた第３の位置をとる。【選択図】    図３
2004254714.tif 000002
【特許請求の範囲】
【請求項１】
脚片（５）（５）を開閉自在に設けた支持棒（２）と、把持部（３）を有するステッキに於いて、
把持部（３）上には、操作手段が設けられ、
支持棒（２）内には、脚片（５）に連繋した支持部材（４）が昇降可能に嵌められた昇降軸（８）と、該昇降軸（８）に係合して昇降軸（８）の下降を防止し操作手段の第１操作によって係合解除されるロック機構（６）とが設けられ、
操作手段は支持部材（４）に繋がって、支持部材（４）は操作手段の第２操作によって昇降軸（８）に沿って昇降し、
支持部材（４）は、ロック機構（６）が昇降軸（８）に係合して脚片（５）が支持棒（２）内に収納された第１の位置と、操作手段の第１操作によってロック機構（６）との係合が解除された昇降軸（８）とともに下降し脚片（５）が支持棒（２）から突出した第２の位置と、第２の位置から操作手段の第２操作によって上昇し、脚片（５）を開いた第３の位置をとることを特徴とするステッキ。
【請求項２】
第１昇降軸（８）上には、昇降軸（８）の下降を円滑にする錘（８０）が設けられ、支持棒（２）内には下降した錘（８０）を受ける筒体（２０）が設けられ、錘（８０）と筒体（２０）は互いに吸引して昇降軸（８）の下降状態を保つ請求項１に記載のステッキ。
【請求項３】
脚片（５）は、昇降軸（８）上に設けられ支持部材（４）内に嵌まった取付け片（８５）に枢支（５０）され、支持部材（４）とは連結杆（４２）にて接続されている請求項１又は２に記載のステッキ。
【発明の詳細な説明】
【０００１】
【発明の属する技術分野】
本発明は、自立可能なステッキに関する。
【０００２】
【従来の技術】
一般にステッキは一旦手を離すと、倒れてしまい、起こすのが面倒である。従って、ステッキを立てかけておく場所が無い場合に鑑みて、自立可能なステッキが要望されている。図８、図９は、従来提案されている自立可能なステッキの正面図である（例えば、特許文献１参照）。
これは、把持部（３）と、該把持部（３）に略直交する縦長の支持棒（２）とを具えたステッキ（１）であり、下部には地面に接して支持棒（２）を支える複数の脚片（５）（５）を開閉自在に設けている。脚片（５）（５）の上端部は、支持棒（２）にスライド可能に嵌められた可動体（２５）に枢支（５０）され、支持棒（２）上にて可動体（２５）と把持部（３）との間には、ロック爪（２６）が出没可能に設けられている。可動体（２５）の上端部には、ロック爪（２６）に嵌まる孔（２９）が開設されている。
支持棒（２）の下端部には、２つの可動環（２７）（２７）が嵌められており、各可動環（２７）は両端部が脚片（５）と連結杆（５５）（５５）にて枢支連結され、リンク機構を構成している。両可動環（２７）（２７）間には、スリーブ（２８）が支持棒（２）に嵌められ、脚片（５）（５）が開いた状態で、両可動環（２７）（２７）はスリーブ（２８）の端部に接している。上側の可動環（２７）と可動体（２５）との間には、圧縮バネ（５６）が設けられている。
【０００３】
図８に示す、脚片（５）（５）が開いた状態から、脚片（５）を閉じるには、可動体（２５）を手で持ち上げ、ロック爪（２６）を孔（２９）に係合させる。図９に示すように、ロック爪（２６）が孔（２９）の周縁に引掛かり、可動体（２５）は上昇位置を保つ。可動体（２５）の上昇によって、脚片（５）及び連結杆（５５）が閉じ、上側の可動環（２７）は圧縮バネ（５６）に抗して上昇させられる。
脚片（５）を開くには、ロック爪（２６）を押して、孔（２９）との係合を解除する。可動体（２５）は自重で落下する。圧縮バネ（５６）の復元力により、上側の可動環（２７）が押し下げられ、脚片（５）（５）が開く。上側の可動環（２７）がスリーブ（２８）の上端に接して、脚片（５）の開き姿勢を保ち、ステッキ（１）は自立可能となる。
【０００４】
【特許文献１】
特開２００２−１１９３１６号（第１図、第２図）
【０００５】
【発明が解決しようとする課題】
従来のステッキ（１）では、脚片（５）（５）を開くには、ロック爪（２６）を押せばよい。しかし、脚片（５）を閉じるには、片手で把持部（３）を握ってステッキ（１）を支持しながら、もう一方の手で可動体（２５）を上昇させる必要がある。即ち、脚片（５）を閉じるのが、不便である。また、脚片（５）（５）が閉じた状態で、脚片（５）（５）が露出しており、見映えが悪い点も問題である。
本発明の目的は、脚片（５）（５）の開閉操作が楽なステッキを提供することにある。また、脚片（５）（５）が閉じた状態で、見映えを良くするとともに、脚片（５）が露出することによる危険を回避することも、目的とする。
【０００６】
【課題を解決する為の手段】
ステッキ（１）の把持部（３）上には、操作手段が設けられている。支持棒（２）内には、脚片（５）に連繋した支持部材（４）が昇降可能に嵌められた昇降軸（８）と、該昇降軸（８）に係合して昇降軸（８）の下降を防止し操作手段の第１操作によって係合解除されるロック機構（６）とが設けられている。
操作手段は支持部材（４）に繋がって、支持部材（４）は操作手段の第２操作によって昇降軸（８）に沿って昇降する。
支持部材（４）は、ロック機構（６）が昇降軸（８）に係合して脚片（５）が支持棒（２）内に収納された第１の位置と、操作手段の第１操作によってロック機構（６）との係合が解除された昇降軸（８）とともに下降し脚片（５）が支持棒（２）から突出した第２の位置と、第２の位置から操作手段の第２操作によって上昇し、脚片（５）を開いた第３の位置をとる。
【０００７】
【作用及び効果】
ステッキを自立させないとき
支持部材（４）は、第１の位置にあり、ロック機構（６）が昇降軸（８）に係合して、昇降軸（８）の下降を防ぐ。脚片（５）は支持棒（２）内に収納されている。これにより、ステッキ（１）の外から、脚片（５）は見えず、見映えが良くなる。また、脚片（５）が支持棒（２）内に収納されるから、脚片（５）が露出することによる危険、例えば脚片（５）が被服に引っかかる等の虞れを防止できる。
ステッキを自立させるとき
操作手段である操作釦（７）を第１操作、具体的には押圧して、ロック機構（６）と昇降軸（８）との係合を外す。支持部材（４）は昇降軸（８）とともに下降して第２の位置となり、脚片（５）が支持棒（２）から突出する。この状態で、操作釦（７）を第２操作、具体的にはスライドすると、操作釦（７）に繋がった支持部材（４）は上昇し、脚片（５）が開く。
自立状態から脚片を収納するとき
把持部（３）を持ち上げると、支持部材（４）の自重にて脚片は自動的に閉じる。閉じた脚片（５）（５）の下端を地面に当て、支持棒（２）を下向きに押し込む。支持部材（４）及び昇降軸（８）は、第２の位置から支持棒（２）内に収納され、ロック機構（６）と昇降軸（８）とが係合する。支持部材（４）及び昇降軸（８）は、第１の位置に戻る。
即ち、片手で把持部（３）を握ったまま、操作釦（７）を押圧操作及びスライド操作すれば、脚片（５）（５）を開閉できる。脚片（５）（５）を支持棒（２）内に収納するのも、片手で把持部（３）を握ったままできる。これにより、従来の構成（図８参照）に比して、脚片（５）（５）の開閉操作が楽になる。
【０００８】
【発明の実施の形態】
（全体構成）
以下、本発明の一例を図を用いて詳述する。
図１（ａ）、（ｂ）、図２は、ステッキ（１）の斜視図である。ステッキ（１）は、把持部（３）と、該把持部（３）に略直交した縦長中空の支持棒（２）を具え、該支持棒（２）の下端部には、石突き（１０）が設けられている。把持部（３）に開設された長孔（３４）には、操作釦（７）が押圧可能且つスライド可能に嵌まっている。
図１（ａ）に示すように、石突き（１０）の下面から脚片（５）（５）が出没し、脚片（５）（５）が閉じて突出した状態で、把持部（３）を持って、脚片（５）（５）の下端を地面に押しつけると、図１（ｂ）に示すように、脚片（５）が引っ込む。脚片（５）が引っ込んだ状態から、操作釦（７）を押圧すると、閉じた脚片（５）が石突き（１０）の下面から突出する。
また、閉じた脚片（５）が石突き（１０）の下面から突出した状態で、操作釦（７）を長孔（３４）に沿ってスライドさせると、図２に示すように、脚片（５）（５）が開く。脚片（５）（５）を地面に置くと、ステッキ（１）は自立できる。
【０００９】
以下に、脚片（５）（５）を開閉する構成を示す。
図３は、ステッキ（１）の内部構成を示す正面図であり、脚片（５）が支持棒（２）内に収納された状態を示す。把持部（３）は、使用者の手が触れるカバー（３３）内に、把持基台（３０）を設けて構成され、前記操作釦（７）は把持基台（３０）に枢支（３２）されたレバー（３１）上にスライド可能に設けられて、カバー（３３）から突出する。操作釦（７）は引張りバネ（図示せず）により、後方、即ち図３のＢと反対方向に付勢されている。枢支部（３２）に嵌められたバネ（図示せず）により、レバー（３１）は上向きに付勢されており、これにより操作釦（７）はカバー（３３）から出没できる。
支持棒（２）内には、互いに略平行な第１昇降軸（８）と第２昇降軸（９）が設けられている。第１昇降軸（８）の下端部には、前記脚片（５）（５）を開閉自在に設けた支持部材（４）が後記の如く一定長さだけ昇降可能に取り付けられている。第２昇降軸（９）は、レバー（３１）から吊設され、第１昇降軸（８）は嵌め環（９０）を介して第２昇降軸（９）に昇降可能に嵌められている。該嵌め環（９０）と把持基台（３０）との間には、圧縮バネ（９１）が第２昇降軸（９）に嵌められて、該圧縮バネ（９１）により嵌め環（９０）及び第１昇降軸（８）は下向きに付勢される。
【００１０】
第１昇降軸（８）上には、上端部に鍔（８１）を有する錘（８０）及び係り片（８２）が取り付けられており、該係り片（８２）は筒体（２０）内に遊嵌している。筒体（２０）は、把持基台（３０）から支持鋼線（２１）を介して吊されており、該支持棒（２）内を昇降しない。
筒体（２０）の側面から延びた突片（２２）には係止レバー（６０）が枢支され、該枢支部に設けられた板バネ（図示せず）により、係止レバー（６０）は筒体（２０）に向けて付勢されている。該係止レバー（６０）の先端部は筒体（２０）の側面に開設されたスリット（図示せず）を通って、係り片（８２）に係合している。即ち、係止レバー（６０）と係り片（８２）とによって、第１昇降軸（８）の下降を規制するロック機構（６）を構成する。
係止レバー（６０）は第２昇降軸（９）の下端に接していて、操作釦（７）の押圧操作により、レバー（３１）及び第２昇降軸（９）が下降すると、係止レバー（６０）が回動して、係り片（８２）との係合を解除する。第１昇降軸（８）上に錘（８０）が設けられていることにより、第１昇降軸（８）は円滑に下降できる。
筒体（２０）及び錘（８０）の一方は鉄にて形成され、他方は磁石にて形成される。後記の如く、第１昇降軸（８）及び錘（８０）が下降した状態で、錘（８０）と筒体（２０）とは互いに吸引し、第１昇降軸（８）の下降位置を保つ。尚、図３では、支持鋼線（２１）は、嵌め環（９０）内を通っているが、これは支持鋼線（２１）が支持棒（２）内を不用意に動かないようにすべく、束ねているのである。
【００１１】
前記支持部材（４）は、操作釦（７）とはワイヤ（７０）を介して接続されており、操作釦（７）を前進、即ち図３の矢印Ｂ方向にスライドさせると、ワイヤ（７０）を介して、支持部材（４）が上昇する。支持部材（４）の上昇により、後記の如く、脚片（５）が開く。尚、脚片（５）が支持棒（２）内に収納された状態で、ワイヤ（７０）は弛んでいる。
図４（ａ）、（ｂ）は、支持部材（４）を図３のＡ方向から見た側面図であり、支持部材（４）を一点鎖線で示している。支持部材（４）は筒状であり、第１昇降軸（８）の下端部に設けられた取付け片（８５）が嵌まる。取付け片（８５）の下端部には、脚片（５）が枢支（５０）され、該枢支部（５０）は支持部材（４）に開設された第１透孔（４０）に嵌まる。
第１昇降軸（８）上にて、支持部材（４）の上方には止め板（８６）が取り付けられ、該止め板（８６）からは突起（８７）が側方に突出している。支持部材（４）の側面にて、第１透孔（４０）の上方には、上下に延びた第２透孔（４１）が開設され、図４（ａ）に示すように、突起（８７）は脚片（５）が閉じた状態では、第２透孔（４１）の上端に当接している。これにより、支持部材（４）は下方に抜け落ちることを規制され、支持部材（４）は第２透孔（４１）の上下幅だけ昇降できる。突起（８７）が第２透孔（４１）の下端に当接して、脚片（５）（５）の適切な開き状態が設定される。
支持部材（４）の側面には、連結杆（４２）の一端部が枢支され、該連結杆（４２）の他端部は脚片（５）上に枢支されている。
【００１２】
操作釦（７）の前進により、図４（ｂ）に示すように、ワイヤ（７０）が上に引っ張られると、支持部材（４）が上昇する。脚片（５）は連結杆（４２）に引っ張られて、上向きに回動する。脚片（５）の枢支部（５０）は、第１透孔（４０）に嵌まっているから、脚片（５）の回動を邪魔しない。こうして、脚片（５）が開き、ステッキ（１）は自立できる。
【００１３】
前記の如く、当初脚片（５）（５）は支持棒（２）内に収納されており、第１昇降軸（８）はロック機構（６）によって下降が規制されている。
（脚片の突出）
以下、脚片（５）を開閉する手順を示す。脚片（５）を開くには、先ず脚片（５）を石突き（１０）の下面から突出させる。
図５は、閉じた脚片（５）が石突き（１０）の下面から突出した状態を示す正面図であり、図６（ａ）、（ｂ）、（ｃ）は、係り片（８２）と係止レバー（６０）との係合と係合解除動作を示す正面図である。使用者が把持部（３）を握り、操作釦（７）及びレバー（３１）を下向きに押圧すると、図６（ａ）に示す状態から、第２昇降軸（９）の下端が係止レバー（６０）を押して反時計方向に回動させる。係止レバー（６０）は、図６（ｂ）に示すように、係り片（８２）を一旦持ち上げるが、図６（ｃ）に示すように、係止レバー（６０）と係り片（８２）の当接が外れると、係り片（８２）及び第１昇降軸（８）は、圧縮バネ（９１）の押圧力と錘（８０）の重量、及び自重により下降する。支持部材（４）が第１昇降軸（８）とともに下降し、図５に示す如く、脚片（５）が石突き（１０）の下面から突出する。ワイヤ（７０）は当初弛んでいたから、支持部材（４）の下降を邪魔しない。錘（８０）の鍔（８１）が、筒体（２０）の上面に接して下降が止まる。前記の如く、錘（８０）及び筒体（２０）は、一方が鉄、他方が磁石で形成されているから、互いに吸引する。これにより、第１昇降軸（８）は下降した状態を保ち、支持棒（２）に外部から衝撃が加わっても、脚片（５）は突出した状態を保つ。
【００１４】
（脚片の開閉操作）
ステッキ（１）を自立させるには、脚片（５）を石突き（１０）の下面から突出させた状態から、図７に示すように、操作釦（７）を前進させる（図３の矢印Ｂ）。ワイヤ（７０）が引っ張られ、支持部材（４）は第１昇降軸（８）に沿って、上昇する。図４（ｂ）及び図７に示すように、脚片（５）（５）が開く。このまま、ステッキ（１）を地面に置くと、脚片（５）（５）によって、ステッキ（１）は自立できる。
脚片（５）を閉じるには、ステッキ（１）を持ち上げる。操作釦（７）が引張りバネの復元力により後退する。ワイヤ（７０）の緊張状態が緩和され、支持部材（４）は自重で下降する。図４（ａ）に示すように、連結杆（４２）及び脚片（５）が閉じ、図５に示す状態となる。  即ち、片手で把持部（３）を握ったまま、操作釦（７）を押圧操作及びスライド操作すれば、脚片（５）（５）を開閉できる。これにより、従来の構成（図８参照）に比して、脚片（５）（５）の開閉操作が楽になる。
【００１５】
（脚片の収納）
脚片（５）（５）を支持棒（２）内に収納するには、脚片（５）（５）が閉じた状態で、ステッキ（１）を下げ、脚片（５）の下端を地面に当てる。そのまま、把持部（３）及び支持棒（２）を押し下げる。脚片（５）が取付け片（８５）に枢支（５０）されているから、第１昇降軸（８）は昇降せず、筒体（２０）が下降する。吸引力に抗して、錘（８０）と筒体（２０）が外れ、係り片（８２）が係止レバー（６０）に引掛かる。図３に示すように、脚片（５）は支持棒（２）内に収納され、元の状態に戻る。即ち、片手で把持部（３）を握り、脚片（５）の下端を地面に当てて、支持棒（２）を押し込めば、脚片（５）を支持棒（２）内に収納できる。これにより、片手で脚片（５）を支持棒（２）内に収納できるから、従来の構成（図８参照）に比して、便利である。また、脚片（５）は支持棒（２）内に収納されるから、外観上は脚片（５）（５）が露出せず、見映えがよい。また、脚片（５）は支持棒（２）内に収納されるから、脚片（５）が露出することによる危険、例えば脚片（５）が被服に引っかかる等の虞れを防止できる。
【００１６】
出願人は、第１昇降軸（８）として、直径１．４ｍｍの針金を想定しているが、脚片（５）の開閉操作で、第１昇降軸（８）が撓まなければよく、この直径に限定されない。また、ワイヤ（７０）には、直径０．６ｍｍのインナーケーブルを想定しているが、これに限定されない。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本願の内容は、ステッキとしても使える傘にも応用できるのは、勿論である。また、係り片（８２）を除去して、係止レバー（６０）を直接第１昇降軸（８）に係合させてもよい。
【図面の簡単な説明】
【図１】（ａ）、（ｂ）は、ステッキの斜視図であり、（ａ）は閉じた脚片が突出した状態を、（ｂ）は脚片を支持棒内に収納した状態を夫々示す。
【図２】ステッキの斜視図であり、脚片を開いた状態を示す。
【図３】ステッキの内部構成を示す正面図であり、脚片が支持棒内に収納された状態を示す。
【図４】（ａ）、（ｂ）は、支持部材を図３のＡ方向から見た側面図である。
【図５】閉じた脚片が石突きの下面から突出した状態を示す正面図である。
【図６】（ａ）、（ｂ）、（ｃ）は、係り片と係止レバーとの係合と係合解除動作を示す正面図である。
【図７】脚片が開いたステッキを示す正面図である。
【図８】従来のステッキの正面図であり、脚片が開いた状態を示す。
【図９】従来のステッキの正面図であり、脚片が閉じた状態を示す。
【符号の説明】
（２）    支持棒
（３）    把持部
（４）    支持部材
（５）    脚片
（６）    ステッキ
（７）    操作釦
（８）    第１昇降軸
（９）    第２昇降軸
（２０）    筒体
（４２）    連結杆
（５０）    枢支
（８０）    錘
（８５）    取付け片
【図１】
2004254714.tif 000003
【図２】
2004254714.tif 000004
【図３】
2004254714.tif 000005
【図４】
2004254714.tif 000006
【図５】
2004254714.tif 000007
【図６】
2004254714.tif 000008
【図７】
2004254714.tif 000009
【図８】
2004254714.tif 000010
【図９】
2004254714.tif 000011
【手続補正書】
【提出日】平成15年3月7日(2003.3.7)
【手続補正１】
【補正対象書類名】明細書
【補正対象項目名】０００２
【補正方法】変更
【補正の内容】
【０００２】
【従来の技術】
一般にステッキは一旦手を離すと、倒れてしまい、起こすのが面倒である。従って、ステッキを立てかけておく場所が無い場合に鑑みて、自立可能なステッキが要望されている。図８、図９は、従来提案されている自立可能なステッキの正面図である（例えば、特許文献１参照）。
これは、把持部（３）と、該把持部（３）に略直交する縦長の支持棒（２）とを具えたステッキ（１）であり、下部には地面に接して支持棒（２）を支える複数の脚片（５）（５）を開閉自在に設けている。脚片（５）（５）の上端部は、支持棒（２）にスライド可能に嵌められた可動体（２５）に枢支（５０）され、支持棒（２）上にて可動体（２５）と把持部（３）との間には、ロック爪（２６）が出没可能に設けられている。可動体（２５）の上端部には、ロック爪（２６）に嵌まる孔（２９）が開設されている。
支持棒（２）の下端部には、可動環（２７）及び環（２７ａ）が嵌められており、可動環（２７）及び環（２７ａ）は脚片（５）と連結杆（５５）（５５）にて枢支連結され、リンク機構を構成している。可動環（２７）及び環（２７ａ）間には、スリーブ（２８）が支持棒（２）に嵌められ、脚片（５）（５）が開いた状態で、可動環（２７）及び環（２７ａ）はスリーブ（２８）の端部に接している。可動環（２７）と可動体（２５）との間には、圧縮バネ（５６）が設けられている。環（２７ａ）は支持棒（２）に固定されている。
【手続補正２】
【補正対象書類名】明細書
【補正対象項目名】０００３
【補正方法】変更
【補正の内容】
【０００３】
図８に示す、脚片（５）（５）が開いた状態から、脚片（５）を閉じるには、可動体（２５）を手で持ち上げ、ロック爪（２６）を孔（２９）に係合させる。図９に示すように、ロック爪（２６）が孔（２９）の周縁に引掛かり、可動体（２５）は上昇位置を保つ。可動体（２５）の上昇によって、脚片（５）及び連結杆（５５）が閉じ、可動環（２７）は圧縮バネ（５６）に抗して上昇させられる。
脚片（５）を開くには、ロック爪（２６）を押して、孔（２９）との係合を解除する。可動体（２５）は自重で落下する。圧縮バネ（５６）の復元力により、可動環（２７）が押し下げられ、脚片（５）（５）が開く。可動環（２７）がスリーブ（２８）の上端に接して、脚片（５）の開き姿勢を保ち、ステッキ（１）は自立可能となる。


【手続補正３】
【補正対象書類名】図面
【補正対象項目名】図８
【補正方法】変更
【補正の内容】
【図８】
2004254714.tif 000012
【手続補正４】
【補正対象書類名】図面
【補正対象項目名】図９
【補正方法】変更
【補正の内容】
【図９】
2004254714.tif 000013